(57)【要約】【課題】本、獣忌避具は、獣の畑等への進入を阻止し、獣をわなへ導く。【解決手段】本、獣忌避具は、獣忌避具保持棒を地面に刺して、ワイヤー線、及び、光物テープを保持するだけの簡単な作業で、本、獣忌避具を設置でき、また、撤去も簡単にできる移動式の忌避具である。尚、本、獣忌避具は、農作物が獣に荒らされ始める時の緊急対策ができる。また、トタン等の設置固定型防御壁よりも低コストで施工でき、電気防御柵の様な、漏電の危険性や故障もなく、農家や、獣を捕獲する人が簡単に組み立てられる。また、本、獣忌避具は、他の移動式の獣撃退具との併用で、獣を怖がらせる事ができ、より良好な相乗効果で獣を撃退できる。【選択図】図１
2009189350.tif 000002
【特許請求の範囲】
【請求項１】
獣忌避具保持棒に、ワイヤー等の線と、光物テープを保持した、ワイヤー等の線と光物テープ保持型獣忌避具。
【請求項２】
請求項１に記載した、ワイヤー等の線と光物テープ保持型獣忌避具であって、獣忌避具保持棒、または、ワイヤー等の線を着色した、ワイヤー等の線と光物テープ保持型獣忌避具。
【請求項３】
請求項１、または、請求項２のいずれか一項に記載した、ワイヤー等の線と光物テープ保持型獣忌避具であって、獣撃退具と併用した、ワイヤー等の線と光物テープ保持型獣忌避具。
【発明の詳細な説明】
【技術分野】
【０００１】  本発明は、猪等の有害動物、以下獣と言う、から畑を守り、わなへ獣を誘導する為の、獣忌避具に関する。
【背景技術】
【０００２】  獣の畑への進入を阻止して、農作物を猪等の獣から守る為の簡単な手段が無く、農作物が獣に荒らされる被害を防ぐ為に、トタン等の設置固定型防御壁や電気防御柵で農作物を囲って、獣の被害を防ごうとしていた。尚、獣忌避具を用いて獣を、わなへ誘導する手段がない現状である。
【発明の表示】
【発明が解決しようとする課題】
【０００３】トタン等の設置固定型防御壁で農作物を囲う方法は、その手間と費用が計り知れず、電気防御柵は、漏電の危険性があり、草刈が必要な上に、専門的で、農家や、わなに従事する人には、設置が難しい。また、わなで獣を捕獲する為に、餌を撒いて獣をわなへ誘導しているが、警戒心の強い獣を、わなに導く迄には多くの時間を要し、獣が警戒心を解いてわなに入るまでの餌代も馬鹿にならない。この様な現状にあって、獣の数と農作物被害は増加傾向にある。よって、手間と費用を最小限にし、農家や、わなに従事する人が簡単に設置できる獣忌避具を発明した。
【課題を解決する為の手段】
【０００４】本発明のワイヤー等の線と光物テープ保持型獣忌避具は、獣忌避具保持棒を地面に刺し、獣忌避具保持棒にワイヤー線と光物テープを保持する。光物テープは、獣が触って揺れると、光の反射できらきら光る。猪対策の場合は、ワイヤー線を地面上約２０センチ、光物テープを地面上約５０センチに保持する。尚、ワイヤー線は光物テープの下側に取り付けることで、獣がワイヤー線に足を引っ掛けて嫌い、ワイヤー線から、獣忌避具保持棒につながっている光物テープが揺れる構造になっており、光物テープがきらきら光る。獣は、光物テープがきらきら光る事をも嫌い警戒する。この、ワイヤー線と光物テープの相乗効果で、ワイヤー等の線と光物テープ保持型獣忌避具を嫌い離れる。または、進路を求めて、本発明の獣忌避具に沿って移動する。本発明は、この様な、獣の習性を利用して農作物を獣から守る。また、獣がワイヤー等の線と光物テープ保持型獣忌避具に沿って移動する、この獣の習性を利用して、わなに導き、少ない餌で、わなへ誘い込んで捕獲する。
【０００５】  本発明の獣忌避具は、獣忌避具保持棒、ワイヤー線、及び、光物テープだけの材料と、この材料を組立てるだけの手間で、畑の農作物を獣から守り、また、獣をわなに導く事ができる。例えば、トタンの防御壁と、本発明の獣忌避具を比べれば、材料と手間は、数十分の一に成るだろう。また、電気防御柵と比べても、コスト的に十分の一以下になり、漏電の危険性や故障もなく、農家や、獣を捕獲する人が簡単に、また、安全に、ワイヤー等の線と光物テープ保持型獣忌避具、以下、本、獣忌避具と言う、を組み立てられる。
【０００６】  本、獣忌避具を用いたら、農作物を獣から守りきれるかと言えば、そうは言えない。本、獣忌避具の囲いの中に好物の農作物があり、獣の欲求が、本、獣忌避具に対する警戒心を上回った時に、本、獣忌避具の囲いを突破される。トタン等の設置固定型防御壁でも、弱い所や，低い所から、獣に突破されている。本、獣忌避具を用いて、獣に突破される事を防止する為には、本、獣忌避具の囲いの外側に付いている獣の足跡等から判断して、突破される前に、実願２００７−８６９６の、２枚格子Ｘ型猪撃退具、或いは、実願２００７−８６９７の、１枚格子型猪撃退具を、本、獣忌避具のワイヤー線の下や、近傍に置いて、獣を撃退する必要がある。尚、上記の猪撃退具は、地面に置くだけで猪を撃退する移動式である。
【０００７】  本、獣忌避具を用いるメリットは、数百メートルを簡単に囲って獣を食い止める事ができる事にある。先ず獣を食い止めて、必要なら、他の獣撃退具を併用して獣を怖がらせ、農作物を守れば良い。尚、本、獣忌避具は、簡単な構造から成っているので、無理なく効果的に、上記の猪撃退具を併用できる。よって、必要に応じて、上記した、猪撃退具の相乗効果を活用して、本、獣忌避具を獣が怖がって、避ける様に学習させる事が必要で大切な手段である。また、本、獣忌避具と上記した、猪撃退具は、猪対策のパートナーの存在である。
【０００８】  本、獣忌避具は、開発した、獣忌避具保持棒を地面に刺して、ワイヤー線、及び、光物テープを保持するだけの簡単な作業で設置でき、撤去も簡単である。よって、必要な時に必要な場所に使うことのできる移動式の獣忌避具であると言える。従って、農作物が獣に荒らされ始める時の緊急対策ができる。自然を相手にする農家にとって、対応が遅れれば、収穫までの仕事や苦労が無駄になる。
【０００９】  獣が足を引っ掛けて嫌う、ワイヤー線は、本、獣忌避具の必要不可欠な部品と成っている。尚、ワイヤーは価格が高いので、緊急を要する場合には、針金や太目の釣り糸でも構わないが、着色して、目立つ様にすることで、獣忌避の効果が上がる。また、組み立てたり、撤去したりする際に、忘れを防ぐことにもなる。
【００１０】  本、獣忌避具の部品は、獣に警戒させることが必要になる。一番目立つ光物テープは、市販品を使用している。赤と銀色の縄目状や波型模様に加工した光物テープは、市販品より、キラキラした色と光の変化が得られ、獣忌避で好結果が得られる。尚、夜光性のテープ等も開発する事で、種類も多くなり、違った種類の活用で、更に獣を警戒させる事ができる。ワイヤー線と、光物テープの取り付け具には弾性材料を用いる事で、ワイヤー線と光物テープを簡単に、付けたり外したりすることができる。
【００１１】  獣は、慣れると警戒心が薄れるので、ワイヤー線と、光物テープを複数取り付ける構造にしても構わない。また、技術的な問題はあるが、獣忌避具保持棒やワイヤー線は、光物テープと同様の着色が好ましい。尚、各部品の大きさや，長さなどの寸法は、変えても構わない。
【００１２】  本、獣忌避具を組み立てる場合において、ワイヤー線の獣忌避具保持棒への最初と最後の取り付けは、ワイヤー線が、獣忌避具保持棒から滑り抜け易い。よって、針金等で固定して置く必要がある。また、光物テープも同様なので、最初と最後は獣忌避具保持棒に粘着テープで固定する必要がある。この場合、専用の獣忌避具保持棒を作ってコストを上げるより、中間に用いる獣忌避具保持棒と同じ物品を用いて、一般的な針金や粘着テープで固定する方が得策である。
【発明の効果】
【００１３】本発明は、獣忌避具保持棒を地面に刺し、猪等の獣が嫌う、ワイヤー線と、光物テープを、獣忌避具保持棒に取り付けるだけの簡単な作業で、数百メートルの範囲を、本、獣忌避具で囲って、獣から畑の農作物等を守ることができる。また、本、獣忌避具で獣を、わなに導く事ができるので、まき餌の費用も削減できる。
【００１４】本、獣忌避具によって、安価で簡単な獣忌避具の設置ができる様になり、広範囲の獣対策が臨機応変にできるようになった。尚、必要な時に、必要な場所に使うことのできる移動式の獣忌避具であり、農作物が獣に荒らされ始める時の緊急対策が簡単にできる。
【００１５】  本、獣忌避具は、構造がシンプルで取り扱いが簡単な移動式である為、他の、移動式獣撃退具と併用ができ、併用によって、より確実に農作物等を守ることができる。本、獣忌避具の最大のメリットは、短時間で簡単に、少ない経費で、必要と思われる場所を囲う事ができる事にある。また、わな迄、餌も使わず獣を導く事ができる。
【考案を実施する為の最良の形態】
【００１６】本、獣忌避具の組立ては、獣忌避具保持棒を、約２メートル間隔に必要本数を刺し、ワイヤー線を地面上、約２０センチ、光物テープを地面上、約５０センチに保持する。獣がワイヤー線に足を引っ掛けて嫌い、ワイヤー線上に保持された、光物テープを合わせて嫌い警戒する。この、ワイヤー線と光物のテープの相乗効果で、獣がその場を離れる。本、獣忌避具は、この様な獣の習性を利用して農作物を守る。尚、獣が農作物を諦めきれないで、本、獣忌避具に沿って、横移動する先にわなを置けば、少ない餌で獣を捕獲できる。
【００１７】  本、獣忌避具は、獣にその存在を分からせて警戒させ必要がある。よって、光物テープがその役目を果たす。また、獣忌避具保持棒やワイヤー線も、目立つ光色に着色して置けば、獣が警戒してくれる。尚、目立つ光色に着色した部品は、組立てたり、撤去したりする際に便利である。
【００１８】  本、獣忌避具は、数百メートルを簡単に囲い、臨機応変に獣対策ができる。また、本、獣忌避具は、構造が簡単で、他の獣撃退具との併用が容易で、併用の相乗効果で、より確実に獣を撃退できる。
【実施例】
【００１９】  １の獣忌避具保持棒を、６の突き出し部から、９の地面に刺し、７のワイヤー線を、２のワイヤー線取り付け具と、３のワイヤー線止め具の間に保持する。８の光物テープは、４の光物テープ取り付け具と、５の光物テープ止め具の間に取り付ける。この簡単な作業で、本、獣忌避具を組み立てることができる。尚、獣忌避具保持棒部品の、２の、ワイヤー線取り付け具、および、４の、光物テープ取り付け具は、弾性材料とする事によって、ワイヤー線、及び、光物テープの取り付けや取り外しが簡単にできる。【００２０】  ７のワイヤー線、及び、８の光物テープ等から成る、本、獣忌避具を利用して、１１の獣捕獲用わなに獣を導く。【００２１】  本、獣忌避具で、１０の農作物を囲い、１２の獣の足跡、または、獣道で、１３の獣撃退具の必要性を察知し、７のワイヤー線の下やその近傍に、１３の獣撃退具を併用して、この、併用の相乗効果で獣を撃退する。
【図面の簡単な説明】
【００２２】
【図１】本、獣忌避具の正面図
【図２】本、獣忌避具の側面図
【図３】上面から見た、本、獣忌避具と、わな
【図４】上面から見た、本、獣忌避具の囲いと、獣撃退具
【符号の説明】
【００２３】１    獣忌避具保持棒の本体
２    獣忌避具保持棒のワイヤー等の線取り付け具
３    獣忌避具保持棒のワイヤー等の線止め具
４    獣忌避具保持棒の光物テープ取り付け具
５    獣忌避具保持棒の光物テープ止め具
６    獣忌避具保持棒の突き出し部
７    ワイヤー等の線
８    光物テープ
９    地面
１０  農作物
１１  獣捕獲用わな
１２  獣の足跡、または、獣道
１３  獣撃退具
【図１】
2009189350.tif 000003
【図２】
2009189350.tif 000004
【図３】
2009189350.tif 000005
【図４】
2009189350.tif 000006